(57)【要約】【課題】走査回路の数を減らせるプラズマ表示装置及びその駆動方法を提供する。【解決手段】前記装置は、第１及び第２表示ラインを各々含む複数の走査ライン、複数の走査ラインと交差する方向に形成されている複数のアドレスライン、複数の第１表示ラインと複数のアドレスラインにより、各々形成される複数の第１放電セル及び複数の第２表示ラインと複数のアドレスラインにより、各々形成される複数の第２放電セルを含む。そして、複数のサブフィールドのうち第１サブフィールドの第１アドレス期間の間複数の第１放電セルのうち複数の第１発光セルから第１非発光セルを選択し、第１サブフィールドの第２アドレス期間の間複数の第２放電セルのうち複数の第２発光セルから第２非発光セルを選択し、第１アドレス期間直前の第１期間の間複数の第１発光セルだけ維持放電させ、第２アドレス期間直前の第２期間の間複数の第２発光セルだけ維持放電させる。【選択図】図７
2008129572.tif 000002
【特許請求の範囲】
【請求項１】
それぞれ第１表示ラインと第２表示ラインを含む複数の走査ライン、前記複数の走査ラインと交差する方向に形成されている複数のアドレスライン、前記複数の第１表示ラインと前記複数のアドレスラインによって、それぞれ形成される複数の第１放電セル及び前記複数の第２表示ラインと前記複数のアドレスラインによって、それぞれ形成される複数の第２放電セルを含むプラズマ表示装置で一つのフィールドを複数のサブフィールドに分けて駆動する方法であって、
前記複数のサブフィールドのうち第１サブフィールドの第１アドレス期間の間前記複数の第１放電セルのうち複数の第１発光セルから第１非発光セルを選択する段階、
前記第１サブフィールドの第２アドレス期間の間複数の第２放電セルのうち複数の第２発光セルから第２非発光セルを選択する段階、
前記第１アドレス期間直前の第１期間の間前記複数の第１発光セルだけ維持放電させる段階、そして
前記第２アドレス期間直前の第２期間の間前記複数の第２発光セルだけ維持放電させる段階
を含む、プラズマ表示装置の駆動方法。
【請求項２】
前記第１期間直前の第３期間の間前記複数の第１及び第２発光セルを維持放電させる段階、そして
前記第２期間直前の第４期間の間前記第１非発光セルを除いた第１発光セル及び前記第２非発光セルを除いた第２発光セルを維持放電させる段階
を含む、請求項１に記載のプラズマ表示装置の駆動方法。
【請求項３】
前記プラズマ表示装置は、
前記複数の走査ラインをそれぞれ定義する複数の走査電極、そして
前記複数の走査電極にそれぞれ対応する複数の維持電極を含み、
前記複数の維持電極のうち第１グループに属する複数の維持電極と前記複数の走査電極によって、前記複数の第１表示ラインが定義されて、前記複数の維持電極のうち第２グループに属する複数の維持電極と前記複数の走査電極によって、前記複数の第２表示ラインが定義される、請求項２に記載のプラズマ表示装置の駆動方法。
【請求項４】
前記プラズマ表示装置は、
前記複数の走査ラインをそれぞれ定義する複数の走査電極、そして
前記複数の走査電極にそれぞれ対応する複数の維持電極を含み、
前記複数の走査電極は、第１グループの複数の走査電極と第２グループの複数の走査電極を含み、
前記複数の維持電極は、第１グループの複数の維持電極と第２グループの複数の維持電極を含み、
前記第１グループの複数の走査電極と前記第１グループの複数の維持電極によって、前記複数の第１表示ラインが定義されて、前記第２グループの複数の走査電極と前記第２グループの複数の維持電極によって、前記複数の第２表示ラインが定義され、
前記各走査ラインは、前記第１グループの複数の走査電極のうちの一つの走査電極及び前記第２グループの複数の走査電極のうちの一つの走査電極によって定義される、請求項２に記載のプラズマ表示装置の駆動方法。
【請求項５】
前記第１期間で、
前記第１グループに属する複数の維持電極及び前記第２グループに属する複数の維持電極にそれぞれ第１ローレベル電圧及び第１ハイレベル電圧を印加し、前記複数の走査電極に第２ハイレベル電圧を印加する段階
を含み、
前記第２期間で、
前記第１グループに属する複数の維持電極及び前記第２グループに属する複数の維持電極に各各前記第１ハイレベル電圧及び前記第１ローレベル電圧を印加し、前記複数の走査電極に前記第２ハイレベル電圧を印加する段階
を含む、請求項３又は請求項４に記載のプラズマ表示装置の駆動方法。
【請求項６】
前記第３及び第４期間それぞれで、
前記複数の走査電極に前記第２ハイレベル電圧と第２ローレベル電圧を交互に有する第１維持放電パルスを少なくとも１回印加し、前記複数の維持電極に前記第１ハイレベル電圧と前記第１ローレベル電圧を交互に有する第２維持放電パルスを前記第１維持放電パルスと反対位相に少なくとも１回印加する段階を含み、
前記第３及び第４期間は前記複数の走査電極に前記第２ローレベル電圧が印加されて終了する、請求項５に記載のプラズマ表示装置の駆動方法。
【請求項７】
前記第１アドレス期間で、
前記複数の維持電極に第１電圧を印加した状態で、前記第１非発光セルの走査電極及びアドレス電極にそれぞれ第１電圧及び第２電圧を印加する段階
を含み、
前記第２アドレス期間で、
前記複数の維持電極に前記第１電圧を印加した状態で、前記第２非発光セルの走査電極及びアドレス電極に各各前記第１電圧及び前記第２電圧を印加する段階
を含む、請求項５に記載のプラズマ表示装置の駆動方法。
【請求項８】
前記第１及び第３期間は、前記第１サブフィールドの直前サブフィールドに含まれる、請求項５に記載のプラズマ表示装置の駆動方法。
【請求項９】
前記第１アドレス期間直前に前記複数の第１及び第２放電セルを各各前記複数の第１及び第２発光セルに設定する段階
を更に含む、請求項５に記載のプラズマ表示装置の駆動方法。
【請求項１０】
複数の走査ラインを形成する複数の走査電極と前記複数の走査電極に対応する複数の維持電極、前記走査電極と前記維持電極によって、それぞれ定義される複数の表示ライン、前記複数の表示ラインと交差する方向に形成される複数のアドレス電極、前記複数の表示ラインと前記複数のアドレス電極が交差する領域にそれぞれ形成される複数の放電セルを含むプラズマ表示装置で一つのフレームを複数のサブフィールドに分けて駆動する方法であって、
前記複数のサブフィールドのうち第１サブフィールドの第１維持期間で、第１期間の間前記複数の維持電極のうち第１グループに属する維持電極及び第２グループに属する維持電極にそれぞれ第１電圧と前記第１電圧より高い第２電圧を印加し、前記複数の走査電極に前記第１電圧より高い第３電圧を印加する段階、
前記第１期間に連続する第２サブフィールドの第１アドレス期間の間、前記第１及び第２グループに属する維持電極に第４電圧を印加した状態で、前記複数の走査ラインに順次に走査パルスを印加する段階、
前記第１アドレス期間に連続する前記第２サブフィールドの第２維持期間で、第２期間の間前記複数の維持電極のうち第１グループに属する維持電極及び第２グループに属する維持電極に前記第２電圧と前記第１電圧を印加し、前記複数の走査電極に前記第３電圧を印加する段階、そして
前記第２期間に連続する第２サブフィールドの第２アドレス期間の間、前記第１及び第２グループに属する維持電極に前記第４電圧を印加した状態で、前記複数の走査ラインに順次に走査パルスを印加する段階
を含む、プラズマ表示装置の駆動方法。
【請求項１１】
前記複数の表示ラインは、
前記第１グループに属する複数の維持電極と前記複数の走査電極によって、それぞれ定義される複数の第１表示ライン、そして
前記第２グループに属する複数の維持電極と前記複数の走査電極によって、それぞれ定義される複数の第２表示ライン
を含む、請求項１０に記載のプラズマ表示装置の駆動方法。
【請求項１２】
前記複数の走査電極を第１及び第２グループに属する走査電極に分けて、
前記複数の表示ラインは、
前記第１グループの複数の走査電極と前記第１グループの複数の維持電極によって、それぞれ定義される複数の第１表示ライン、そして
前記第２グループの複数の走査電極と前記第２グループの複数の維持電極によって、それぞれ定義される複数の第２表示ライン
を含み、
各走査ラインは、前記第１グループの複数の走査電極のうちの一つの走査電極及び前記第２グループの複数の走査電極のうちの一つの走査電極によって定義される、請求項１０に記載のプラズマ表示装置の駆動方法。
【請求項１３】
前記第１及び第２維持期間それぞれで、
前記第１期間直前または前記第２期間直前に、前記複数の走査電極と前記複数の維持電極に第５電圧と前記第５電圧より低い第６電圧を交互に有する維持放電パルスを反対位相に印加する段階
を更に含む、請求項１１又は請求項１２に記載のプラズマ表示装置の駆動方法。
【請求項１４】
前記第１及び第２アドレス期間それぞれで、
前記走査パルスが印加される各走査電極によって、形成される発光セルのうち非発光セルに設定するセルのアドレス電極にアドレスパルスを印加する段階
を更に含む、請求項１３に記載のプラズマ表示装置の駆動方法。
【請求項１５】
それぞれ第１表示ラインと第２表示ラインを含む複数の走査ライン、前記複数の走査ラインと交差する方向に形成されている複数のアドレスライン、前記第１表示ライン及び前記第２表示ラインと前記複数のアドレスラインによって、それぞれ形成される複数の放電セルを含むプラズマ表示パネル、そして
複数のサブフィールドのうち第１サブフィールドの第１維持期間で第１期間の間前記複数の第１表示ラインに形成された複数の第１発光セルだけを維持放電させて、
前記第１維持期間に連結される第２サブフィールドの第１アドレス期間の間前記複数の第１発光セルから非発光セルを選択し、
前記第１アドレス期間に連結される前記第２サブフィールドの第２維持期間で第２期間の間前記複数の第２表示ラインに形成された複数の第２発光セルだけを維持放電させて、
前記第２維持期間に連結される前記第２サブフィールドの第２アドレス期間の間前記複数の第２発光セルから非発光セルを選択する駆動部
を含む、プラズマ表示装置。
【請求項１６】
前記プラズマ表示パネルは、
前記複数の走査ラインをそれぞれ定義する複数の走査電極、そして
前記複数の走査電極にそれぞれ対応する複数の維持電極を含み、
前記駆動部は、前記第１及び第２アドレス期間で前記複数の維持電極を第１電圧にバイアスした状態で前記複数の走査ラインに順次に走査パルスを印加する、請求項１５に記載のプラズマ表示装置。
【請求項１７】
前記複数の維持電極のうち第１グループに属する複数の維持電極と前記複数の走査電極によって、前記複数の第１表示ラインが定義されて、前記複数の維持電極のうち第２グループに属する複数の維持電極と前記複数の走査電極によって、前記複数の第２表示ラインが定義される、請求項１６に記載のプラズマ表示装置。
【請求項１８】
前記複数の維持電極のうち第１グループに属する複数の維持電極と前記複数の走査電極のうち第１グループに属する走査電極によって、前記複数の第１表示ラインが定義されて、前記複数の維持電極のうち第２グループに属する複数の維持電極と前記複数の走査電極のうち第２グループに属する走査電極によって、前記複数の第２表示ラインが定義され、
前記各走査ラインは、前記第１グループの複数の走査電極のうちの一つの走査電極及び前記第２グループの複数の走査電極のうちの一つの走査電極によって定義される、請求項１６に記載のプラズマ表示装置。
【請求項１９】
前記駆動部は、
前記第１期間で、前記第１及び第２グループに属する維持電極にそれぞれ第１電圧と前記第１電圧より高い第２電圧を印加し、前記複数の走査電極に前記第２電圧を印加して、
前記第２期間で、前記第１及び第２グループに属する維持電極に前記第２電圧と前記第１電圧を印加し、前記複数の走査電極に前記第２電圧を印加する、請求項１７又は請求項１８に記載のプラズマ表示装置。
【請求項２０】
前記駆動部は、前記第１維持期間のうち前記第１期間前の第３期間及び前記第２維持期間のうち前記第２期間前の第４期間それぞれで、
前記複数の走査電極と前記複数の維持電極に前記第１電圧と前記第２電圧を反対位相に印加して、前記複数の第１及び第２発光セルを維持放電させる、請求項１９に記載のプラズマ表示装置。
【発明の詳細な説明】
【技術分野】
【０００１】
本発明は、プラズマ表示装置及びその駆動方法に関するものである。
【背景技術】
【０００２】
プラズマ表示装置は、気体放電によって、生成されたプラズマを用いて、文字または映像を表示するプラズマ表示パネルを用いた表示装置である。
【０００３】
このようなプラズマ表示装置は、一つのフレームがそれぞれの加重値を有する複数のサブフィールドに分割されて駆動され、各サブフィールドのアドレス期間で発光する放電セルと発光しない放電セルが選択されて、維持期間で選択された発光する放電セルが当該サブフィールドの加重値に相当する期間の間維持放電されて画像が表示される。
【０００４】
このようなプラズマ表示装置のアドレス期間では発光する放電セルと発光しない放電セルを選択するために、複数の表示ラインを順次に走査する。従って、複数の表示ラインを順次に走査するための走査回路が表示ラインの数だけ必要である。それによってプラズマ表示装置のコストが上昇する。
【特許文献１】米国特許第５，７４５，０８６号明細書
【発明の開示】
【発明が解決しようとする課題】
【０００５】
本発明の課題は、走査回路の個数を減らすことができるプラズマ表示装置及びその駆動方法を提供することにある。
【課題を解決するための手段】
【０００６】
上記課題を解決するため、本発明の一特徴によれば、それぞれ第１表示ラインと第２表示ラインを含む複数の走査ライン、前記複数の走査ラインと交差する方向に形成されている複数のアドレスライン、前記複数の第１表示ラインと前記複数のアドレスラインによって、それぞれ形成される複数の第１放電セル及び前記複数の第２表示ラインと前記複数のアドレスラインによって、それぞれ形成される複数の第２放電セルを含むプラズマ表示装置で一つのフィールドを複数のサブフィールドに分けて駆動する方法が提供される。この駆動方法は、前記複数のサブフィールドのうち第１サブフィールドの第１アドレス期間の間前記複数の第１放電セルのうち複数の第１発光セルから第１非発光セルを選択する段階、前記第１サブフィールドの第２アドレス期間の間複数の第２放電セルのうち複数の第２発光セルから第２非発光セルを選択する段階、前記第１アドレス期間直前の第１期間の間前記複数の第１発光セルだけ維持放電させる段階、そして前記第２アドレス期間直前の第２期間の間前記複数の第２発光セルだけ維持放電させる段階を含む。
【０００７】
本発明の他の特徴によれば、複数の走査ラインを形成する複数の走査電極と前記複数の走査電極に対応する複数の維持電極、前記走査電極と前記維持電極によって、それぞれ定義される複数の表示ライン、前記複数の表示ラインと交差する方向に形成される複数のアドレス電極、前記複数の表示ラインと前記複数のアドレス電極が交差する領域にそれぞれ形成される複数の放電セルを含むプラズマ表示装置で一つのフレームを複数のサブフィールドに分けて駆動する方法が提供される。この駆動方法は、前記複数のサブフィールドのうち第１サブフィールドの第１維持期間で、第１期間の間前記複数の維持電極のうち第１グループに属する維持電極及び第２グループに属する維持電極にそれぞれ第１電圧と前記第１電圧より高い第２電圧を印加し、前記複数の走査電極に前記第１電圧より高い第３電圧を印加する段階、前記第１期間に連続する第２サブフィールドの第１アドレス期間の間、前記第１及び第２グループに属する維持電極に第４電圧を印加した状態で、前記複数の走査ラインに順次に走査パルスを印加する段階、前記第１アドレス期間に連続する前記第２サブフィールドの第２維持期間で、第２期間の間前記複数の維持電極のうち第１グループに属する維持電極及び第２グループに属する維持電極に前記第２電圧と前記第１電圧を印加し、前記複数の走査電極に前記第３電圧を印加する段階、そして前記第２期間に連続する第２サブフィールドの第２アドレス期間の間、前記第１及び第２グループに属する維持電極に前記第４電圧を印加した状態で、前記複数の走査ラインに順次に走査パルスを印加する段階を含む。
【０００８】
本発明のまた他の特徴によれば、プラズマ表示パネル、そして駆動部を含むプラズマ表示装置が提供される。この時、プラズマ表示パネルはそれぞれ第１表示ラインと第２表示ラインを含む複数の走査ライン、前記複数の走査ラインと交差する方向に形成されている複数のアドレスライン、前記第１表示ライン及び前記第２表示ラインと前記複数のアドレスラインによって、それぞれ形成される複数の放電セルを含む。そして駆動部は、複数のサブフィールドのうち第１サブフィールドの第１維持期間で第１期間の間前記複数の第１表示ラインに形成された複数の第１発光セルだけを維持放電させて、前記第１維持期間に連結される第２サブフィールドの第１アドレス期間の間前記複数の第１発光セルから非発光セルを選択し、前記第１アドレス期間に連結される前記第２サブフィールドの第２維持期間で第２期間の間前記複数の第２表示ラインに形成される複数の第２発光セルだけを維持放電させて、前記第２維持期間に連結される前記第２サブフィールドの第２アドレス期間の間前記複数の第２発光セルから非発光セルを選択する。
【発明の効果】
【０００９】
本発明によれば、複数のＹ電極のうちの二つのＹ電極が一つの走査ラインを形成したり、各Ｙ電極が各走査ラインを形成し、各Ｙ電極によって、二つの表示ラインが形成される構造からなっていて、一つのＸ電極と一つのＹ電極が一つの表示ラインを形成する構造に比べて走査回路の数を減らすことができる。
【発明を実施するための最良の形態】
【００１０】
以下、添付した図面を参照して、本発明の好ましい実施例について当業者が容易に実施することができるように詳細に説明する。しかしながら、本発明は多様に異なる形態で実現できるので、ここで説明する実施例に限定されるものではない。
【００１１】
図面で本発明を明確に説明するために説明と関係ない部分は省略した。明細書全体を通じて類似した部分については同一図面符号で示すものとする。どんな部分が他の部分と連結されているという時、これは直接的に連結されている場合だけでなく、その中間に他の素子を間において連結されている場合も含む。
【００１２】
そして本発明での壁電荷とは、セルの壁（例えば、誘電体層）上で各電極に近く形成される電荷をいう。そして壁電荷は、実際に電極自体に接触することがないが、ここでは電極に“形成”、“蓄積されること”または“積もること”のように説明する。また壁電圧は、壁電荷によりセルの壁に形成される電位差をいう。
【００１３】
本発明の実施例によるプラズマ表示装置について図１及び図２を参照して詳細に説明する。
【００１４】
図１は本発明の実施例によるプラズマ表示装置を示す図面である。
【００１５】
図１に示すように、本発明の実施例によるプラズマ表示装置はプラズマ表示パネル１００、制御部２００、アドレス電極駆動部３００(Address electrode driver)、走査電極駆動部４００(Scan electrode driver)及び維持電極駆動部５００(Sustain electrode driver)を含む。
【００１６】
プラズマ表示パネル１００は、列方向にのびている複数のアドレス電極（以下、“Ａ電極”）（Ａ１〜Ａｍ）、そして行方向にのびている複数の維持電極（以下、“Ｘ電極”）（Ｘ１〜Ｘｎ）及び走査電極（以下、“Ｙ電極”）（Ｙ１〜Ｙｎ）を含む。
【００１７】
制御部２００は、外部から映像信号を受信してＡ電極駆動制御信号、Ｘ電極駆動制御信号及びＹ電極駆動制御信号を出力する。そして制御部２００は、一つのフレームをそれぞれの輝度加重値を有する複数のサブフィールドに分割して駆動する。また、制御部２００は複数のＸ電極を偶数番目Ｘ電極を含む第１グループと奇数番目Ｘ電極を含む第２グループに分割して、駆動されるように制御信号を出力する。
【００１８】
アドレス電極駆動部３００は、制御部２００からＡ電極駆動制御信号を受信してＡ電極に駆動電圧を印加する。
【００１９】
走査電極駆動部４００は、制御部２００からＹ電極駆動制御信号を受信してＹ電極に駆動電圧を印加する。
【００２０】
維持電極駆動部５００は、制御部２００からＸ電極駆動制御信号を受信してＸ電極に駆動電圧を印加する。
【００２１】
図２及び図３は、それぞれ本発明の第１及び第２実施例によるプラズマ表示パネルの電極配列図面である。
【００２２】
図２に示すように、プラズマ表示パネル１００はＡ電極（Ａ１〜Ａｍ）が一つの基板に形成され、Ｘ電極（Ｘ１〜Ｘｎ）とＹ電極（Ｙ１〜Ｙｎ）が他の基板に形成されて、両基板が対向するように配置されてもよい。Ｘ電極（Ｘ１〜Ｘｎ）は、各Ｙ電極（Ｙ１〜Ｙｎ）に対応して形成されている。この時、Ｙ電極（Ｙ１〜Ｙｎ）がアドレス期間に走査電圧（図５及び図６のＶｓｃＬ及び図７のＶｓｃＬ’）を印加される走査ラインを形成し、Ａ電極（Ａ１〜Ａｍ）がアドレス期間にアドレス電圧（図５及び図６のＶａ及び図７のＶａ’）を印加されるアドレスラインを形成する。そしてＹ電極（Ｙ１〜Ｙｎ）とＸ電極（Ｘ１〜Ｘｎ）の間に画像を表示するための表示ライン（Ｌ１〜Ｌ（２ｎ−１））が形成されている。この時、一つのＹ電極によって、二つの表示ラインが形成される。例えば、一番目走査電極（Ｙ）と一番目維持電極（Ｘ１）によって一つの表示ラインが形成され、一番目走査電極（Ｙ）と二番目維持電極（Ｘ２）によってまた他の一つの表示ラインが形成される。従って、表示ライン（Ｌ１〜Ｌ（２ｎ−１））は奇数番目行のＸ電極（Ｘ１、Ｘ３、…、Ｘ（ｎ−１））から成る第１グループのＸ電極とＹ電極（Ｙ１〜Ｙｎ）によってそれぞれ形成される複数の第１表示ラインと偶数番目行のＸ電極（Ｘ２、Ｘ４、…、Ｘｎ）から成る第２グループのＸ電極とＹ電極（Ｙ１〜Ｙｎ）によってそれぞれ形成される第２表示ラインでグループ化することができる。
【００２３】
そして、この表示ライン（Ｌ１〜Ｌ（２ｎ−１））とＡ電極（Ａ１〜Ａｍ）の交差部にある放電空間が放電セル２３を形成し、この放電セル２３は隔壁２４によって区画されている。このようなＸ電極（Ｘ１〜Ｘｎ）とＹ電極（Ｙ１〜Ｙｎ）は行方向（ｘ軸方向）に沿ってのびており、幅が狭いバス電極（２１ａ、２２ａ）と幅が広い透明電極（２１ｂ、２２ｂ）を含み、透明電極（２１ｂ、２２ｂ）はそれぞれバス電極（２１ａ、２２ａ）と連結されている。これとは異なって、透明電極（２１ｂ、２２ｂ）なしに幅が広いバス電極（２１ａ、２２ａ）だけでＸ電極とＹ電極をそれぞれ形成でき、バス電極（２１ａ、２２ａ）なしに透明電極（２１ｂ、２２ｂ）だけでＸ電極とＹ電極をそれぞれ形成してもよい。そしてバス電極（２１ａ、２２ａ）の上にも隔壁が形成されて放電セル２３を列方向に画することができる。
【００２４】
このように、本発明の第１実施例によれば、各Ｘ電極（Ｘ１〜Ｘｎ）及び各Ｙ電極（Ｙ１〜Ｙｎ）は行方向（ｘ軸方向）に沿って隣接する２本の表示ラインを共有する構造で配置されて、各Ｘ電極（Ｘ１〜Ｘｎ）と各Ｙ電極（Ｙ１〜Ｙｎ）は行方向（ｘ軸方向）に沿って隣接する２本の表示ラインによって、それぞれ形成される放電セル２３の放電に関与するようになる。またこのようなパネルの構造によって一つの電極が一つの表示ラインにだけ関与する構造に比べて、Ｘ電極とＹ電極の数を殆ど半分に減らすことができる。例えば、５１２本の表示ラインを駆動する時、Ｘ電極とＹ電極はそれぞれ５１２個が必要である。ところで、本発明の第１実施例のようなパネルの構造ではＸ電極とＹ電極がそれぞれ５１２個の半分程度だけあればよい。
【００２５】
そして図３のようなプラズマ表示パネル１００’も本発明に適用されてもよい。図３を見れば、プラズマ表示パネル１００’は各Ｙ電極と各Ｘ電極によって、各表示ラインが形成されるという点で図２と差がある。つまり、Ａ電極と並んだ方向（図面のｙ軸方向）及びＡ電極（Ａ１〜Ａｍ）と交差する方向に沿って隔壁３４が形成されている。このように、各表示ラインは各Ｙ電極と各Ｘ電極によって形成されるので、Ｘ電極（Ｘ１〜Ｘｎ）とＹ電極（Ｙ１〜Ｙｎ）は幅が狭いバス電極（３１ａ、３２ａ）となって、図２の例とは異なり、バス電極（３１ａ、３２ａ）から各表示ラインの仮想中心線に向かって、延長されている透明電極（３１ｂ、３２ｂ）を含む。このようなＸ電極（Ｘ１〜Ｘｎ）とＹ電極（Ｙ１〜Ｙｎ）はバス電極（３１ａ、３２ａ）としてだけ使われてもよい。この時、後述する駆動波形が同一に適用されるために、複数のＹ電極は第１グループの複数のＹ電極と第２グループの複数のＹ電極に分けられて、第１グループの複数のＹ電極のうちの一つのＹ電極と第２グループの複数のＹ電極のうちの一つのＹ電極がアドレス期間にＶｓｃＬ電圧（またはＶｓｃＬ’電圧）を印加される一つの走査ラインを形成する。そして表示ライン（Ｌ１〜Ｌ（２ｎ−１））は奇数番目行のＸ電極（Ｘ１、Ｘ３、…、Ｘ（ｎ−１））から成る第１グループのＸ電極と第１グループのＹ電極によって、それぞれ形成される複数の第１表示ラインと偶数番目行のＸ電極（Ｘ２、Ｘ４、…、Ｘｎ）から成る第２グループのＸ電極と第２グループのＹ電極（Ｙ１〜Ｙｎ）によってそれぞれ形成される第２表示ラインから成る。
【００２６】
次に、本発明の第１及び第２実施例によるプラズマ表示パネル（１００、１００’）の構造を有するプラズマ表示装置を駆動する方法について説明する。以下、説明の便宜上図２に示すプラズマ表示パネル１００を基準にプラズマ表示装置の駆動方法について説明する。
【００２７】
図４は、本発明の実施例によるプラズマ表示装置の駆動方法を示した図面である。図４では、複数の第１表示ラインを“Ｌ＿ｏｄｄ”で示し、複数の第２表示ラインを“Ｌ＿ｅｖｅｎ”で示した。維持期間で維持放電パルスが印加されて、維持放電が起こるように壁電荷が設定されている放電セルを“発光セル”といい、維持期間で維持放電パルスが印加されても維持放電が起こさないように壁電荷が形成されている放電セルを“非発光セル”という。そして複数の放電セルを初期化して、非発光セルに設定するメインリセット期間を“ＭＲ”で示し、直前サブフィールドで維持放電が起こったセルを初期化して、非発光セルに設定する補助リセット(Selective Reset)期間を“ＳＲ”で示した。また非発光セル状態のセルをアドレス放電させて、壁電荷を形成して発光セル状態で設定する書き込みアドレス期間を“ＷＡ”で示し、発光セル状態のセルをアドレス放電させて、既に形成されている壁電荷を消去させて、非発光セル状態で設定する消去アドレス期間を“ＥＡ”で示した。そして発光セルで維持放電を遂行する維持(Sustain)期間を“Ｓ”で示した。以下、書き込みアドレス期間（ＷＡ）で壁電荷を形成するためのアドレス放電を“書き込み放電”といい、消去アドレス期間（ＥＡ）で壁電荷を消去するためのアドレス放電を“消去放電”という。
【００２８】
図４に示すように、本発明の実施例によるプラズマ表示装置の駆動方法は奇数フレームと偶数フレームに分けられて互いに異なる方法で駆動され、各フレームは複数のサブフィールド（ＳＦ１〜ＳＦ１０）に分割されて駆動される。この時、各サブフィールド（ＳＦ１〜ＳＦ１０）は階調表示のために所定の加重値を有する。、例えば、各サブフィールド（ＳＦ１〜ＳＦ１０）の加重値はそれぞれ１、２、４、８、８、８、８、８、８及び８で設定されてもよい。
【００２９】
再び図４を見れば、奇数フレームの第１〜第３サブフィールド（ＳＦ１〜ＳＦ３）では複数の第１表示ライン（Ｌ＿ｏｄｄ）だけが駆動され、複数の第２表示ライン（Ｌ＿ｅｖｅｎ）は駆動されない。偶数フレームの第１〜第３サブフィールド（ＳＦ１〜ＳＦ３）では複数の第２表示ライン（Ｌ＿ｅｖｅｎ）だけが駆動され、複数の第１表示ライン（Ｌ＿ｏｄｄ）については駆動されない。つまり、第１〜第３サブフィールド（ＳＦ１〜ＳＦ３）で第１及び第２の表示ライン（Ｌ＿ｏｄｄ、Ｌ＿ｅｖｅｎ）はそれぞれ２フレームを周期として駆動される。
【００３０】
奇数フレームの第１サブフィールド（ＳＦ１）は複数の第１表示ライン（Ｌ＿ｏｄｄ）についてメインリセット期間（ＭＲ）、書き込みアドレス期間（ＷＡ）及び維持期間（Ｓ）の所定動作を行い、第２及び第３サブフィールド（ＳＦ２〜ＳＦ３）はそれぞれ補助リセット期間（ＳＲ）、書き込みアドレス期間（ＷＡ）及び維持期間（Ｓ）の所定動作を行う。そして偶数フレームの第１サブフィールド（ＳＦ１）は複数の第２表示ライン（Ｌ＿ｅｖｅｎ）についてメインリセット期間（ＭＲ）、書き込みアドレス期間（ＷＡ）及び維持期間（Ｓ）の所定動作を行い、第２及び第３サブフィールド（ＳＦ２〜ＳＦ３）はそれぞれ補助リセット期間（ＳＲ）、書き込みアドレス期間（ＷＡ）及び維持期間（Ｓ）の所定動作を行う。ここで、第２及び第３サブフィールド（ＳＦ２〜ＳＦ３）のリセット期間をリセット期間短縮及びコントラスト向上のために補助リセット期間（ＳＲ）の所定動作を遂行するが、メインリセット期間（ＭＲ）の所定動作が行われてもよい。なお、以下の説明では“の所定動作”を略して、“を行う”と記す。
【００３１】
次に、奇数フレームの第４サブフィールド（ＳＦ４）ではまず、複数の第１表示ライン（Ｌ＿ｏｄｄ）について補助リセット期間（ＳＲ）、書き込みアドレス期間（ＷＡ１）及び維持期間（Ｓ１）を行い、その後に複数の第２表示ライン（Ｌ＿ｅｖｅｎ）に対してメインリセット期間（ＭＲ）、書き込みアドレス期間（ＷＡ１）及び維持期間（Ｓ２）を行う。つまり、複数の第２表示ライン（Ｌ＿ｅｖｅｎ）は第１〜第３サブフィールド（ＳＦ１〜ＳＦ３）でいかなる動作も行われないので、複数の第２表示ライン（Ｌ＿ｅｖｅｎ）についてはメインリセット期間（ＭＲ）が行われる。そして複数の第１表示ライン（Ｌ＿ｏｄｄ）は維持期間（Ｓ１）の間の維持放電が発生するので、複数の第２表示ライン（Ｌ＿ｅｖｅｎ）についての維持期間（Ｓ２）の間の第１表示ライン（Ｌ＿ｏｄｄ）でも維持放電が起こる。
【００３２】
偶数フレームの第４サブフィールド（ＳＦ４）ではまず、複数の第２表示ライン（Ｌ＿ｅｖｅｎ）について補助リセット期間（ＳＲ）、書き込みアドレス期間（ＷＡ１）及び維持期間（Ｓ１）を行い、その後に複数の第１表示ライン（Ｌ＿ｏｄｄ）に対してメインリセット期間（ＭＲ）、書き込みアドレス期間（ＷＡ１）及び維持期間（Ｓ２）を行う。同様に、複数の第１表示ライン（Ｌ＿ｏｄｄ）は第１〜第３サブフィールド（ＳＦ１〜ＳＦ３）でいかなる動作も行われないので、複数の第１表示ライン（Ｌ＿ｏｄｄ）についてはメインリセット期間（ＭＲ）が行われる。そして複数の第２表示ライン（Ｌ＿ｅｖｅｎ）は維持期間（Ｓ１）の間の維持放電が発生するので、複数の第１表示ライン（Ｌ＿ｏｄｄ）についての維持期間（Ｓ２）の間の第２表示ライン（Ｌ＿ｅｖｅｎ）でも維持放電が起こる。
【００３３】
次に、奇数フレームの第５〜第１０サブフィールド（ＳＦ５〜ＳＦ１０）それぞれではまず、第１表示ライン（Ｌ＿ｏｄｄ）について消去アドレス期間（ＥＡ１）及び維持期間（Ｓ１）が行われる。そして第１表示ライン（Ｌ＿ｏｄｄ）に対して維持期間（Ｓ１）が遂行される間の第２表示ライン（Ｌ＿ｅｖｅｎ）に対しても維持期間（Ｓ１）が行われる。維持期間（Ｓ１）に次いで第２表示ライン（Ｌ＿ｅｖｅｎ）に対して消去アドレス期間（ＥＡ２）及び維持期間（Ｓ２）が行われる。そして第２表示ライン（Ｌ＿ｅｖｅｎ）に対して維持期間（Ｓ２）が遂行される間の第１表示ライン（Ｌ＿ｏｄｄ）に対しても維持期間（Ｓ２）が行われる。
【００３４】
偶数フレームの第５〜第１０サブフィールド（ＳＦ５〜ＳＦ１０）それぞれではまず、第２表示ライン（Ｌ＿ｅｖｅｎ）に対して消去アドレス期間（ＥＡ１）及び維持期間（Ｓ１）が行われる。そして第２表示ライン（Ｌ＿ｅｖｅｎ）に対して維持期間（Ｓ１）が遂行される間の第１表示ライン（Ｌ＿ｏｄｄ）に対しても維持期間（Ｓ１）が行われる。維持期間（Ｓ１）に次いで第１表示ライン（Ｌ＿ｏｄｄ）に対して消去アドレス期間（ＥＡ２）及び維持期間（Ｓ２）が行われる。そして第１表示ライン（Ｌ＿ｏｄｄ）に対して維持期間（Ｓ２）が遂行される間の第２表示ライン（Ｌ＿ｅｖｅｎ）に対しても維持期間（Ｓ２）が行われる。
【００３５】
このように、本発明の実施例によるプラズマ表示装置の駆動方法を見れば、奇数フレームと偶数フレームはそれぞれ複数の第１表示ライン（Ｌ＿ｏｄｄ）と複数の第２表示ライン（Ｌ＿ｅｖｅｎ）に対してその順序が変わったことを除外しては同様な方法で駆動される。従って、以下、奇数フレームに印加される駆動波形を中心に説明する。
【００３６】
図５は、第１〜第３サブフィールド（ＳＦ１〜ＳＦ３）におけるプラズマ表示装置の駆動波形を示した図面であり、図６は第４サブフィールド（ＳＦ４）におけるプラズマ表示装置の駆動波形を示した図面である。そして図７は第５サブフィールド（ＳＦ５）におけるプラズマ表示装置の駆動波形を示した図面である。図８は第１表示ラインと第２表示ラインによって形成される放電セルを示した図面である。図５〜図７では説明の便宜上第１グループに属する複数のＸ電極のうちの一つのＸ電極（Ｘｉ）と第２グループに属する複数のＸ電極のうちの一つのＸ電極（Ｘ（ｉ＋１））、複数のＹ電極のうちの一つのＹ電極（Ｙｉ）及び複数のＡ電極のうちの一つのＡ電極（Ａｊ）だけを示した。この時、図８のように複数の第１表示ラインのうちの一つのＹ電極（Ｙｉ）と一つのＸ電極（Ｘｉ）によって第１表示ライン（Ｌ（２ｉ−１））が形成され、複数の第２表示ラインのうちの一つのＹ電極（Ｙｉ）と一つのＸ電極（Ｘ（ｉ＋１））によって第２表示ライン（Ｌ（２ｉ））が形成される。そして第１表示ライン（Ｌ（２ｉ−１））とＡ電極（Ａｊ）によって放電セル（Ｃ（２ｉ−１、ｊ））が形成され、第２表示ライン（Ｌ（２ｉ））とＡ電極（Ａｊ）によって放電セル（Ｃ（２ｉ、ｊ））が形成される。
【００３７】
図５に示すように、第１サブフィールド（ＳＦ１）のメインリセット期間（ＭＲ）は消去期間（１）、上昇期間（２）及び下降期間（３）を含む。
【００３８】
メインリセット期間（ＭＲ）の消去期間（１）ではＸ電極（Ｘｉ、Ｘ（ｉ＋１））にＶｅ電圧を印加した状態でＹ電極（Ｙｉ）の電圧をＶｓ電圧から０Ｖ電圧まで漸進的に減少させる。そうすれば、第１サブフィールド（ＳＦ１）の直前サブフィールドの維持期間で発光セルのＸ電極（Ｘｉ、Ｘ（ｉ＋１））とＹ電極（Ｙ）にそれぞれ形成されている（＋）壁電荷と（−）壁電荷が消去される。
【００３９】
次に、メインリセット期間（ＭＲ）の上昇期間（２）ではＡ電極（Ａｊ）には０Ｖ電圧を印加し、Ｘ電極（Ｘ（ｉ＋１））にＶｅ電圧を印加し、Ｘ電極（Ｘｉ）に０Ｖ電圧を印加した状態で、Ｙ電極（Ｙｉ）の電圧をＶｓ電圧からＶｓｅｔ電圧まで漸進的に増加させる。そうすれば、Ｙ電極（Ｙｉ）の電圧が増加する間にＹ電極（Ｙｉ）とＸ電極（Ｘｉ）の間及びＹ電極（Ｙｉ）とＡ電極（Ａｊ）の間で微弱な放電（以下、“弱放電”）が起こりながら、Ｙ電極（Ｙｉ）には（−）壁電荷が形成されてＸ及びＡ電極（Ｘｉ、Ａｊ）には（＋）壁電荷が形成される。この時、Ｘ電極（Ｘ（ｉ＋１））にはＶｅ電圧が印加されるので、Ｘ電極（Ｘ（ｉ＋１））とＹ電極（Ｙｉ）の間では放電が起きない。そして電極の電圧が図５のように漸進的に変わる場合にはセルに微弱な放電が起こりながら、外部で印加された電圧とセルの壁電圧の合計が放電開示電圧状態を維持するように壁電荷が形成される。このような原理についてはウェーバー（Ｗｅｂｅｒ）の特許文献１に開示されている。リセット期間では全てのセルの状態を初期化しなければならないのでＶｓｅｔ電圧は全ての条件のセルで放電が起これるほどの高電圧である。また、Ｖｓ電圧はＹ電極とＸ電極の間の放電開始電圧より低い電圧である。
【００４０】
メインリセット期間（ＭＲ）の下降期間（３）では、Ａ電極（Ａｊ）には０Ｖ電圧を印加し、Ｘ電極（Ｘ（ｉ＋１））に０Ｖ電圧を印加し、Ｘ電極（Ｘｉ）にＶｅ電圧を印加した状態で、Ｙ電極（Ｙｉ）の電圧をＶｓ電圧からＶｎｆ電圧まで漸進的に減少させる。そうすれば、Ｙ電極（Ｙｉ）の電圧が減少する間にＹ電極（Ｙｉ）とＸ電極（Ｘｉ）の間及びＹ電極（Ｙｉ）とＡ電極（Ａｊ）の間で弱放電が起こりながらＹ電極（Ｙｉ）に形成された（−）壁電荷とＸ電極（Ｘｉ）及びＡ電極（Ａｊ）に形成された（＋）壁電荷が消去されて、放電セル（Ｃ（２ｉ−１、ｊ））が初期化される。この時、Ｘ電極（Ｘ（ｉ＋１））には０Ｖ電圧が印加されるので、Ｘ電極（Ｘ（ｉ＋１））とＹ電極（Ｙｉ）の間では放電が起こらない。一般に、メインリセット期間（ＭＲ）の下降期間（３）でＶｎｆ電圧が印加される時、Ｘ電極（Ｘｉ）とＹ電極（Ｙｉ）の間の壁電圧とＸ電極（Ｘｉ）とＹ電極（Ｙｉ）の間の外部電圧（Ｖｎｆ−Ｖｅ）の合計はＸ電極（Ｘｉ）とＹ電極（Ｙｉ）の間の放電開始電圧で決定される。そうすれば、Ｘ電極（Ｘｉ）とＹ電極（Ｙｉ）の間の壁電圧が殆ど０Ｖになって、アドレス期間でアドレス放電が起こらないセルが維持期間で誤放電することを防止できる。そしてアドレス電極（Ａｊ）の電圧は０Ｖ電圧に維持されているので、Ｖｎｆ電圧レベルによってＹ電極（Ｙｉ）とＡ電極（Ａｊ）の間の壁電圧が決定される。
【００４１】
その次に、第１サブフィールド（ＳＦ１）の書き込みアドレス期間（ＷＡ）ではＸ電極（Ｘ（ｉ＋１））に０Ｖ電圧を印加し、Ｘ電極（Ｘｉ）にＶｅ電圧を印加した状態で、Ｙ電極（Ｙｉ）に走査電圧（ＶｓｃＬ）を印加する。ここで、走査電圧（ＶｓｃＬ）はＶｎｆ電圧以下のレベルに設定される。そして走査電圧（ＶｓｃＬ）が印加されたＹ電極（Ｙｉ）とＸ電極（Ｘｉ）によって形成される表示ライン（Ｌ（２ｉ−１））の中で選択しようとする放電セルを通過するＡ電極（Ａｊ）にアドレス電圧（Ｖａ）が印加される。そして走査電圧（ＶｓｃＬ）が印加されないＹ電極には走査電圧（ＶｓｃＬ）より高いＶｓｃＨ電圧が印加され、選択されない放電セルのＡ電極には基準電圧が印加される。そうすれば、放電セル（Ｃ（２ｉ−１、ｊ））で書き込み放電が起こってＸ電極（Ｘｉ）の側に隣接したＹ電極に（＋）壁電荷が形成されてＸ電極（Ｘｉ）に（−）壁電荷が形成される。
【００４２】
図３では書き込みアドレス期間（ＷＡ）で一つのＹ電極（Ｙｉ）と一つのＡ電極（Ａｊ）にそれぞれ印加される走査パルス及びアドレスパルスを示したが、一般には書き込みアドレス期間（ＷＡ）で走査電極駆動部４００はＹ電極（Ｙ１−Ｙｎ）のうち走査パルスが印加されるＹ電極を選択する。例えば、シングル駆動では垂直方向に配列された順序通りＹ電極を選択してもよい。そして一つのＹ電極が選択される場合、アドレス電極駆動部３００は当該Ｙ電極によって形成される放電セルのうち発光セルを選択する。つまり、アドレス電極駆動部３００はＡ電極（Ａ１−Ａｍ）のうちＶａ電圧のアドレスパルスが印加されるセルを選択する。
【００４３】
第１サブフィールド（ＳＦ１）の維持期間（Ｓ）ではＹ電極（Ｙｉ）とＸ電極（Ｘｉ、Ｘ（ｉ＋１））にハイレベル電圧（図５ではＶｓ電圧）とローレベル電圧（図５では０Ｖ電圧）を交互に有する維持放電パルスが反対位相に印加されて、発光セル（Ｃ（２ｉ−１、ｊ））で維持放電が起こる。つまり、Ｙ電極（Ｙｉ）にＶｓ電圧が印加される時Ｘ電極（Ｘｉ、Ｘ（ｉ＋１））に０Ｖ電圧が印加され、Ｘ電極（Ｘｉ、Ｘ（ｉ＋１））にＶｓ電圧が印加される時Ｙ電極（Ｙｉ）に０Ｖ電圧が印加される。そうすれば、書き込みアドレス期間（ＷＡ）で書き込み放電によってＹ電極（Ｙｉ）とＸ電極（Ｘｉ）の間に形成された壁電圧とこのＶｓ電圧によってＹ電極（Ｙｉ）とＸ電極（Ｘｉ）の間で維持放電が起こる。その後、Ｙ電極（Ｙｉ）とＸ電極（Ｘｉ、Ｘ（ｉ＋１））に維持放電パルスを印加する過程が当該サブフィールドが表示する加重値に対応する回数だけ反復される。
【００４４】
次に、第２及び第３サブフィールド（ＳＦ２〜ＳＦ３）では補助リセット期間（ＳＲ）を除いては書き込みアドレス期間（ＷＡ）及び維持期間（Ｓ）の動作が第１サブフィールド（ＳＦ１）と同一なので、補助リセット期間（ＳＲ）についてだけ説明する。
【００４５】
第２及び第３サブフィールド（ＳＦ２〜ＳＦ３）の補助リセット期間（ＳＲ）ではメインリセット期間（ＭＲ）とは違って、上昇期間（２）を有せず下降期間（３）だけを有する。つまり、第１サブフィールド（ＳＦ１）の維持期間でＹ電極（Ｙｉ）にＶｓ電圧が印加され、Ｘ電極（Ｘｉ、Ｘ（ｉ＋１））に０Ｖ電圧が印加されて、発光セル（Ｃ（２ｉ−１、ｊ））で最後の維持放電が起こるので、Ｘ電極（Ｘｉ）とＹ電極（Ｙｉ）にはそれぞれ（＋）壁電荷及び（−）壁電荷が形成される。従って、第２及び第３サブフィールド（ＳＦ２〜ＳＦ３）の補助リセット期間（ＳＲ）でＡ電極（Ａｊ）に０Ｖ電圧を印加し、Ｘ電極（Ｘ（ｉ＋１））に０Ｖ電圧を印加し、Ｘ電極（Ｘｉ）にＶｅ電圧を印加した状態で、Ｙ電極（Ｙｉ）の電圧をＶｓ電圧からＶｎｆ電圧まで漸進的に減少させる。そうすれば、Ｙ電極（Ｙｉ）の電圧が減少する間に直前サブフィールドつまり、第１サブフィールド（ＳＦ１）で維持放電が起こったセルつまり、Ｙ電極（Ｙｉ）とＸ電極（Ｘｉ）の間及びＹ電極（Ｙｉ）とＡ電極（Ａｊ）の間で弱放電が起こりながらＹ電極（Ｙｉ）に形成された（−）壁電荷とＸ電極（Ｘｉ）及びＡ電極（Ａｊ）に形成された（＋）壁電荷が消去されて、発光セル（Ｃ（２ｉ−１、ｊ））が初期化される。そして複数の第１表示ラインによって、形成される放電セルのうち第１サブフィールド（ＳＦ１）で維持放電が起こらないセルは第１サブフィールド（ＳＦ１）のメインリセット期間終了後の壁電荷状態を維持しているので、第２及び第３サブフィールド（ＳＦ２〜ＳＦ３）の補助リセット期間（ＳＲ）の後には複数の第１表示ラインによって、形成される放電セルが全て非発光セル状態になる。
【００４６】
このように、奇数フレームの第１〜第３サブフィールド（ＳＦ１〜ＳＦ３）では複数の第１表示ラインによって、形成される放電セルについてだけリセット期間、書き込みアドレス期間及び維持期間の動作が行われる。
【００４７】
第２フレームの第１〜第３サブフィールド（ＳＦ１〜ＳＦ３）では複数の第２表示ラインによって、形成される放電セルについてだけリセット期間、書き込みアドレス期間及び維持期間の動作が行われる。第２フレームの第１〜第３サブフィールド（ＳＦ１〜ＳＦ３）では第１フレームの第１〜第３サブフィールド（ＳＦ１〜ＳＦ３）における動作と類似し、第２フレームの第１〜第３サブフィールド（ＳＦ１〜ＳＦ３）では第１フレームの第１〜第３サブフィールド（ＳＦ１〜ＳＦ３）でＸ電極（Ｘｉ）に印加された駆動波形を第２フレームの第１〜第３サブフィールド（ＳＦ１〜ＳＦ３）でＸ電極（Ｘ（ｉ＋１））に印加し、第１フレームの第１〜第３サブフィールド（ＳＦ１〜ＳＦ３）でＸ電極（Ｘ（ｉ＋１））に印加された駆動波形を第２フレームの第１〜第３サブフィールド（ＳＦ１〜ＳＦ３）でＸ電極（Ｘｉ）に印加する。
【００４８】
その次に、図６に示すように、第４サブフィールド（ＳＦ４）ではまず、複数の第１表示ライン（Ｌ（２ｉ−１））に対して補助リセット期間（ＳＲ）、アドレス期間（ＷＡ１）及び維持期間（Ｓ１）が行われる。この時、補助リセット期間（ＳＲ）、アドレス期間（ＷＡ１）及び維持期間（Ｓ１）は前述した第２及び第３サブフィールド（ＳＦ２〜ＳＦ３）の補助リセット期間（ＳＲ）、アドレス期間（ＷＡ）及び維持期間（Ｓ）と同一である。続いて、第４サブフィールド（ＳＦ４）では第２表示ライン（Ｌ（２ｉ））に対してメインリセット期間（ＭＲ）、補正期間（ＡＳ）、アドレス期間（ＷＡ２）及び維持期間（Ｓ２）を行う。この時、メインリセット期間（ＭＲ）及び補正期間（ＡＳ）を除外したアドレス期間（ＷＡ２）及び維持期間（Ｓ２）は前述した第１サブフィールド（ＳＦ１）のアドレス期間（ＷＡ）及び維持期間（Ｓ）と同一である。従って、以下、メインリセット期間（ＭＲ）及び補正期間（ＡＳ）についてだけ説明する。
【００４９】
第１サブフィールド（ＳＦ１）とは違って、第４サブフィールド（ＳＦ４）でメインリセット期間（ＭＲ）の上昇期間では、Ａ電極（Ａｊ）には０Ｖ電圧を印加し、Ｘ電極（Ｘｉ）にＶｅ電圧を印加し、Ｘ電極（Ｘ（ｉ＋１））に０Ｖ電圧を印加した状態で、Ｙ電極（Ｙｉ）の電圧をＶｓ電圧からＶｓｅｔ電圧まで漸進的に増加させる。そうすれば、Ｙ電極（Ｙｉ）の電圧が増加する間にＹ電極（Ｙｉ）とＸ電極（Ｘ（ｉ＋１））の間及びＹ電極（Ｙｉ）とＡ電極（Ａｊ）の間で弱放電が起こりながら、Ｙ電極（Ｙｉ）には（−）壁電荷が形成され、Ｘ及びＡ電極（Ｘ（ｉ＋１）、Ａｊ）には（＋）壁電荷が形成される。この時、Ｘ電極（Ｘｉ）にはＶｅ電圧が印加されるので、Ｘ電極（Ｘｉ）とＹ電極（Ｙｉ）の間では放電が起こらない。
【００５０】
続いて、メインリセット期間（ＭＲ）の下降期間では、Ａ電極（Ａｊ）には０Ｖ電圧を印加し、Ｘ電極（Ｘｉ）に０Ｖ電圧を印加し、Ｘ電極（Ｘ（ｉ＋１））にＶｅ電圧を印加した状態で、Ｙ電極（Ｙｉ）の電圧をＶｓ電圧からＶｎｆ電圧まで漸進的に減少させる。そうすれば、Ｙ電極（Ｙｉ）の電圧が減少する間にＹ電極（Ｙｉ）とＸ電極（Ｘ（ｉ＋１））の間及びＹ電極（Ｙｉ）とＡ電極（Ａｊ）の間で弱放電が起こりながらＹ電極（Ｙｉ）に形成された（−）壁電荷とＸ電極（Ｘ（ｉ＋１））及びＡ電極（Ａｊ）に形成された（＋）壁電荷が消去されて、放電セル（Ｃ（２ｉ、ｊ））が初期化される。この時、Ｘ電極（Ｘｉ）には０Ｖ電圧が印加されるので、Ｘ電極（Ｘｉ）とＹ電極（Ｙｉ）の間では放電が起こらない。このように、第４サブフィールド（ＳＦ４）のメインリセット期間（ＭＲ）では第２表示ライン（Ｌ（２ｉ））に形成される放電セル（Ｃ（２ｉ、ｊ））を初期化して、非発光セルに設定する。
【００５１】
一方、第４サブフィールド（ＳＦ４）の維持期間（Ｓ１）でＹ電極（Ｙｉ）にＶｓ電圧が印加されてＸ電極（Ｘｉ、Ｘ（ｉ＋１））に０Ｖ電圧が印加されて、発光セル（Ｃ２ｉ、ｊ）で最後の維持放電が起こってＹ電極（Ｙｉ）とＸ電極（Ｘｉ）にはそれぞれ（−）壁電荷及び（＋）壁電荷が形成される。そして第４サブフィールド（ＳＦ４）のメインリセット期間（ＭＲ）では第２表示ライン（Ｌ（２ｉ））に形成される放電セル（Ｃ（２ｉ、ｊ））だけが初期化されるので、Ｙ電極（Ｙｉ）とＸ電極（Ｘｉ）の壁電荷状態は第３サブフィールド（ＳＦ３）の維持期間（Ｓ）の終了後の壁電荷状態と同一である。このような状態で書き込みアドレス期間（ＷＡ２）でＹ電極に走査電圧が印加される間のＸ電極（Ｘｉ）にはＶｅ電圧が印加されるので、放電セル（Ｃ（２ｉ、ｊ））は維持期間（Ｓ１）で形成された壁電荷による壁電圧と書き込みアドレス期間（ＷＡ２）における印加電圧によって放電が発生できる。
【００５２】
従って、補正期間（ＡＳ）ではＸ電極（Ｘｉ、Ｘ（ｉ＋１））にＶｅ電圧を印加した状態でＹ電極（Ｙｉ）に０Ｖ電圧を印加する。そうすれば、維持期間（Ｓ１）終了後のＹ電極（Ｙｉ）とＸ電極（Ｘｉ）にそれぞれ形成された壁電荷による壁電圧と印加電圧（Ｖｅ）によってＹ電極（Ｙｉ）とＸ電極（Ｘｉ）の間で放電が起こりながらＹ電極（Ｙｉ）とＸ電極（Ｘｉ）にはそれぞれ（＋）壁電荷及び（−）壁電荷が形成される。そして複数の第２表示ラインに形成される放電セルはメインリセット期間（ＭＲ）で初期化されるので、補正期間（ＡＳ）で放電が発生しないので、複数の第２表示ラインに形成される放電セルの壁電荷状態はメインリセット期間（ＭＲ）の終了後の壁電荷状態と同一である。
【００５３】
次に、書き込みアドレス期間（ＷＡ２）ではＸ電極（Ｘ（ｉ）、Ｘ（ｉ＋１））にＶｅ電圧を印加した状態で、Ｙ電極（Ｙｉ）に順次に走査電圧（ＶｓｃＬ）を印加する。ここで、走査電圧（ＶｓｃＬ）はＶｎｆ電圧と同じであったり低いレベルに設定される。そして走査電圧（ＶｓｃＬ）が印加されたＹ電極（Ｙｉ）とＸ電極（Ｘｉ）によって形成される表示ライン（Ｌ（２ｉ））の中で選択しようとする放電セルを通過するＡ電極（Ａｊ）にアドレス電圧（Ｖａ）が印加される。そして走査電圧（ＶｓｃＬ）が印加されないＹ電極には走査電圧（ＶｓｃＬ）より高いＶｓｃＨ電圧が印加され、選択されない放電セルのＡ電極には基準電圧が印加される。そうすれば、放電セル（Ｃ（２ｉ、ｊ））で書き込み放電が起こってＸ電極（Ｘ（ｉ＋１））の側に隣接したＹ電極（Ｙｉ）に（＋）壁電荷が形成されてＸ電極（Ｘ（ｉ＋１））に（−）壁電荷が形成される。そして補正期間（ＭＲ）で放電が起こったＹ電極（Ｙｉ）とＸ電極（Ｘｉ）にはそれぞれ（＋）壁電荷及び（−）壁電荷が形成されるので、書き込みアドレス期間（ＷＡ２）で書き込み放電が起こらない。
【００５４】
そして維持期間（Ｓ２）では維持期間（Ｓ１）の動作と同一し、発光セル（Ｃ（２ｉ−１、ｊ）、Ｃ（２ｉ、ｊ））で維持放電が起こる。つまり、複数の第２表示ラインに形成された放電セルのうち書き込みアドレス期間（ＷＡ２）で書き込み放電が起こったセル及び複数の第１表示ラインに形成された放電セルのうち維持期間（Ｓ１）で維持放電が起こったセルが発光セル状態であるので、このような発光セルで維持放電が起こる。
【００５５】
次に、図７に示すように、第５サブフィールド（ＳＦ５）の消去アドレス期間（ＥＡ１）ではＸ電極（Ｘｉ、Ｘ（ｉ＋１））に０Ｖ電圧を印加した状態で、Ｙ電極（Ｙｉ）に走査電圧（ＶｓｃＬ’）を印加する。そして走査電圧（ＶｓｃＬ’）が印加されたＹ電極（Ｙｉ）とＸ電極（Ｘｉ）によって形成される表示ライン（Ｌ（２ｉ−１））の中で点灯されないセルを通過するＡ電極（Ａｊ）にアドレス電圧（Ｖａ’）が印加される。そして走査電圧（ＶｓｃＬ’）が印加されないＹ電極には走査電圧（ＶｓｃＬ’）より高いＶｓｃＨ’電圧が印加され、選択されない放電セルのＡ電極には基準電圧が印加される。そうすれば、発光セル（Ｃ（２ｉ−１、ｊ））で消去放電が起こってＸ電極（Ｘｏｄｄ）の側に隣接したＹ電極とＸ電極（Ｘｏｄｄ）に形成された壁電荷が消去される。
【００５６】
この時、第１表示ライン（Ｌ（２ｉ−１））に形成された発光セル（Ｃ（２ｉ−１、ｊ））のうち非発光セルでだけ消去放電を起こせるように、消去アドレス期間（ＥＡ１）を有するサブフィールド（ＳＦ５）の直前サブフィールドつまり、第４サブフィールド（ＳＦ４）の維持期間（Ｓ２）でＹ電極に最後のＶｓ電圧が印加される期間（Ｓ２１）中にＸ電極（Ｘ（ｉ＋１））にはＶｓ電圧を印加し、Ｘ電極（Ｘｉ）には０Ｖ電圧を印加する。そうすれば、Ｙ電極（Ｙｉ）とＸ電極（Ｘｉ）の間でだけ維持放電が起こり、Ｘ電極（Ｘｉ）の側に位置したＹ電極（Ｙｉ）には（−）壁電荷が形成され、Ｘ電極（Ｘｉ）には（＋）壁電荷が形成される。そしてＹ電極（Ｙｉ）とＸ電極（Ｘ（ｉ＋１））の間では維持放電が起こらないので、Ｘ電極（Ｘ（ｉ＋１））の側に位置したＹ電極（Ｙｉ）には（＋）壁電荷が形成され、Ｘ電極（Ｘ（ｉ＋１））には（−）壁電荷が形成される。従って、消去アドレス期間（ＥＡ１）ではＸ電極（Ｘｉ）とＹ電極（Ｙｉ）の間でだけ消去放電が起こることができる。
【００５７】
続いて、維持期間（Ｓ１）では第４サブフィールド（ＳＦ４）の維持期間（Ｓ１）の動作と同一し、消去アドレス期間（ＥＡ１）で消去放電が起こらないセル及び第４サブフィールド（ＳＦ１）の維持期間（Ｓ２）で維持放電が起こったセルが発光セルであるため、第１表示ライン（Ｌ（２ｉ−１））に形成された発光セルのうち消去アドレス期間（ＥＡ１）で消去放電が起こらないセル及び第２表示ライン（Ｌ（２ｉ））に形成された放電セルのうち第４サブフィールド（ＳＦ１）の維持期間（Ｓ２）で維持放電が起こったセルで同時に維持放電が起こる。
【００５８】
消去アドレス期間（ＥＡ２）は、消去アドレス期間（ＥＡ１）の動作と同一し、消去アドレス期間（ＥＡ２）では第２表示ライン（Ｌ（２ｉ））に形成された発光セルのうち点灯されないセルで消去放電が起こってＸ電極（Ｘ（ｉ＋１））の側に隣接したＹ電極（Ｙｉ）とＸ電極（Ｘ（ｉ＋１））に形成された壁電荷が消去される。このように、消去アドレス期間（ＥＡ２）で第２表示ライン（Ｌ（２ｉ））に形成された発光セルのうち非発光セル（Ｃ（２ｉ、ｊ））でだけ消去放電が起これるように、消去アドレス期間（ＥＡ２）直前の維持期間（Ｓ１）でＹ電極に最後のＶｓ電圧が印加される期間（Ｓ２１）間のＸ電極（Ｘｉ）にはＶｓ電圧を印加し、Ｘ電極（Ｘ（ｉ＋１））には０Ｖ電圧を印加する。そうすれば、Ｙ電極（Ｙｉ）とＸ電極（Ｘ（ｉ＋１））の間でだけ維持放電が起こり、Ｘ電極（Ｘ（ｉ＋１））の側に位置したＹ電極（Ｙｉ）には（−）壁電荷が形成され、Ｘ電極（Ｘ（ｉ＋１））には（＋）壁電荷が形成される。そしてＹ電極（Ｙｉ）とＸ電極（Ｘｉ）の間では維持放電が起こらないので、Ｘ電極（Ｘｉ）の側に位置したＹ電極（Ｙｉ）には（＋）壁電荷が形成され、Ｘ電極（Ｘｉ）には（−）壁電荷が形成される。従って、消去アドレス期間（ＥＡ２）ではＸ電極（Ｘ（ｉ＋１））とＹ電極（Ｙｉ）の間でだけ消去放電が起こることができる。
【００５９】
次に、維持期間（Ｓ２）では消去アドレス期間（ＥＡ１、ＥＡ２）で消去放電が起こらないセルが発光セルであるため、第１及び第２表示ライン（Ｌ（２ｉ−１）、Ｌ（２ｉ））に形成された発光セルのうち消去アドレス期間（ＥＡ１、ＥＡ２）で消去放電が起こらないセルで同時に維持放電が起こる。
【００６０】
そして第６〜第１０サブフィールド（ＳＦ６〜ＳＦ１０）で各電極に印加される駆動波形は第５サブフィールド（ＳＦ５）で各電極に印加される駆動波形と同一である。
このように、第５〜第１０サブフィールド（ＳＦ５〜ＳＦ１０）では消去アドレス期間（ＥＡ１）直前の維持期間（Ｓ２）及び消去アドレス期間（ＥＡ２）直前の維持期間（Ｓ１）でそれぞれ第１及び第２表示ライン（Ｌ（２ｉ−１）、Ｌ（２ｉ））に形成された放電セル（Ｃ（２ｉ−１）、Ｃ（２ｉ））の壁電荷状態をそれぞれ制御することによって、消去アドレス期間（ＥＡ１、ＥＡ２）でＸ電極（Ｘｉ、Ｘ（ｉ＋１））に同一な電圧を印加しても、第１及び第２表示ライン（Ｌ（２ｉ−１）、Ｌ（２ｉ））に形成された放電セル（Ｃ（２ｉ−１）、Ｃ（２ｉ））を異なって制御できるようになる。
【００６１】
以上、本発明の好ましい実施例について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００６２】
【図１】本発明の実施例によるプラズマ表示装置を示す図面である。
【図２】本発明の第１実施例によるプラズマ表示パネルの電極配列図である。
【図３】本発明の第２実施例によるプラズマ表示パネルの電極配列図である。
【図４】本発明の実施例によるプラズマ表示装置の駆動方法を示した図面である。
【図５】第１〜第３サブフィールドにおけるプラズマ表示装置の駆動波形を示した図面である。
【図６】第４サブフィールドにおけるプラズマ表示装置の駆動波形を示した図面である。
【図７】第５サブフィールドにおけるプラズマ表示装置の駆動波形を示した図面である。
【図８】第１表示ラインと第２表示ラインによって形成される放電セルを示した図面である。
【符号の説明】
【００６３】
Ａｊ  アドレス電極（Ａ電極）
Ｘｉ，Ｘ（ｉ＋１），Ｘｏｄｄ  維持電極（Ｘ電極）
Ｙｉ  走査電極（Ｙ電極）
Ｖａ，Ｖａ’  アドレス電圧
Ｖｓ，Ｖｅ  電圧
ＶｓｃＬ’  走査電圧
ＶｓｃＨ’  走査電圧（ＶｓｃＬ’）より高い電圧
ＥＡ１，ＥＡ２  消去アドレス期間
Ｓ１，Ｓ２  維持期間
ＳＦ４，ＳＦ５，ＳＦ６〜ＳＦ１０  サブフィールド
Ｃ（２ｉ−１，ｊ）  発光セル
Ｃ（２ｉ，ｊ）  非発光セル
Ｃ（２ｉ−１），Ｃ（２ｉ）  放電セル
Ｌ（２ｉ−１），Ｌ（２ｉ）  表示ライン
【図１】
2008129572.tif 000003
【図２】
2008129572.tif 000004
【図３】
2008129572.tif 000005
【図４】
2008129572.tif 000006
【図５】
2008129572.tif 000007
【図６】
2008129572.tif 000008
【図７】
2008129572.tif 000009
【図８】
2008129572.tif 000010